(57)【要約】【課題】  収納箱用に特別なスペースを必要とせず、防水防塵性が確保され、盗難の防止もできるようにする。【解決手段】    エンジン駆動作業機は、エンジンと、該エンジンにより駆動される作業機本体と、前記エンジン及び作業機本体を覆う防音ケースとを備えている。その防音ケース側面に設けられ、通常、防水防塵性が確保され、鎖錠可能になっている扉１の内面の、吸音材を取り除いた部分に収納箱２を設ける。収納箱２は、下端縁を中心にして回転開閉可能に取り付け、上端部にはローラキャッチ６を設けて、収納箱２の閉じた状態が保持されるように係止する。また、収納箱２が下方に回転しすぎて中の収納物が落下してしまうようなことがないように、収納箱２の下端部には、該収納箱２の下方への回転を制限するためのストッパ３を設ける。【選択図】        図１
2018204535.tif 000002
【特許請求の範囲】
【請求項１】
エンジンと、該エンジンにより駆動される作業機本体と、前記エンジン及び作業機本体を覆い、側面に扉が設けられた防音ケースとを備えたエンジン駆動作業機の収納箱であって、該収納箱を、前記扉の内面に設けたことを特徴とするエンジン駆動作業機の収納箱。
【請求項２】
前記収納箱は、前記扉内面の吸音材を取り除いた部分に設けたことを特徴とする請求項１に記載のエンジン駆動作業機の収納箱。
【請求項３】
前記収納箱は、下端縁を中心にして回転開閉可能に設け、該収納箱の上端部を前記扉の内面に係止させる係止手段を設けたことを特徴とする請求項１又は２に記載のエンジン駆動作業機の収納箱。
【請求項４】
前記収納箱の下端部に、該収納箱の下方への回転を制限するための回転止め手段を設けたことを特徴とする請求項３に記載のエンジン駆動作業機の収納箱。
【発明の詳細な説明】
【技術分野】
【０００１】
本発明は、屋外の工事現場等において使用される、エンジン駆動式の発電機，溶接機，コンプレッサのようなエンジン駆動作業機において、取扱説明書のような文書，作業用の工具等を収納するためのエンジン駆動作業機の収納箱に関するものである。
【背景技術】
【０００２】
エンジン駆動作業機を操作するに当たって、作業機の操作に慣れていない作業者にとっては、当該エンジン駆動作業機の取扱説明書が頼りになる。ところが、安全面でエンジン駆動作業機に取扱説明書を備えることになっているが、紛失して備えていないとか、紛失することや汚損することを避けるために、事務所等の別の場所に保管されている場合があり、取扱説明書を見たい時は、いちいち保管場所まで取りに行く必要があり、非常に非効率であった。
【０００３】
その点、エンジン駆動作業機に収納箱を設けて、その中に取扱説明書を備えておけば、取扱説明書を見たい時は、いつでもそこから取り出して見ることができる。従来、収納箱を設けたエンジン駆動作業機としては、特許文献１に示されるものがある。
【０００４】
図７は、従来の収納箱を設けたエンジン駆動作業機を示す図である。図７において、２０は防音ケース、２１は作業機本体である発電機、２２は発電機２１を駆動するエンジン、２３はエンジン２２のエアクリーナ、２４はエンジン２２の排気マフラ、２５はエンジン２２の燃料タンクであり、２６は収納ボックス、２７はその蓋である。
【０００５】
通常、発電機２１，エンジン２２，エアクリーナ２３は、防音ケース２０内の下部に設けられ、防音ケース２０内の前後方向中央部で、エンジン２２の上側には燃料タンク２５が設けられ、防音ケース２０内の燃料タンク２５の後方で、発電機２１の上側には排気マフラ２４が設けられる。そして、燃料タンク２５の前方で、エアクリーナ２３の上側には空きスペースができるので、そこに蓋２７付きの収納ボックス２６を設けている。
【０００６】
この収納ボックス２６には、作業用工具等を収納しておき、必要に応じて適宜収納ボックス２６から取り出して使用できるようにしている。そして、取扱説明書もこの収納ボックス２６に入れておけば、取扱説明書を見たい時は、いつでもそこから取り出して見られるようになる。
【先行技術文献】
【特許文献】
【０００７】
【特許文献１】特開平９−４１９８８号公報
【発明の概要】
【発明が解決しようとする課題】
【０００８】
しかしながら、上記従来のエンジン駆動作業機の収納箱は、作業機内部の空きスペースを利用して設けてはいるものの、作業機のより一層の小型軽量化が求められている現状では、空きスペースはできるだけ無くし、収納箱の設置も省スペース化する必要がある。また、上記従来のエンジン駆動作業機の収納箱は、防音ケースの上面に設けられていて、取扱説明書のような紙類を収納するには防水防塵の点で問題があり、さらに、盗難防止の面でも問題があった。
【０００９】
本発明は、そのような問題点に鑑み、収納箱用に特別なスペースを必要とせず、防水防
塵性が確保され、盗難の防止もできるようにすることを目的とするものである。
【課題を解決するための手段】
【００１０】
前記課題を解決するため、本願の請求項１に係る発明は、エンジンと、該エンジンにより駆動される作業機本体と、前記エンジン及び作業機本体を覆い、側面に扉が設けられた防音ケースとを備えたエンジン駆動作業機の収納箱であって、該収納箱を、前記扉の内面に設けたことを特徴とする。
【００１１】
また、本願の請求項２に係る発明は、請求項１に係る発明において、前記収納箱は、前記扉内面の吸音材を取り除いた部分に設けたことを特徴とする。
【００１２】
また、本願の請求項３に係る発明は、請求項１又は２に係る発明において、前記収納箱は、下端縁を中心にして回転開閉可能に設け、該収納箱の上端部を前記扉の内面に係止させる係止手段を設けたことを特徴とする。
【００１３】
また、本願の請求項４に係る発明は、請求項３に係る発明において、前記収納箱の下端部に、該収納箱の下方への回転を制限するための回転止め手段を設けたことを特徴とする。
【発明の効果】
【００１４】
本発明は、次のような効果を奏する。
すなわち、請求項１に係る発明においては、収納箱を、作業機の防音ケースに設けられた扉の内面に設けたので、通常、作業機の扉は雨水対策及び防塵対策が施されており、特別なコストを掛けることなく、防水防塵性が確保できる。また、作業機の扉は、通常、鍵付きになっているため、扉を施錠するだけで盗難防止ができる。
【００１５】
また、請求項２に係る発明においては、請求項１に係るエンジン駆動作業機の収納箱において、収納箱は、前記扉内面の吸音材を取り除いた部分に設けたので、収納箱の厚さが扉内面に施す吸音材の厚みの範囲内であれば、収納箱の設置のために特別なスペースは必要としなくなる。また、収納箱の厚さが吸音材の厚みを超えたとしても、必要なスペースはごくわずかですむ。
【００１６】
また、請求項３に係る発明においては、請求項１又は２に係るエンジン駆動作業機の収納箱において、収納箱は、下端縁を中心にして回転開閉可能に設け、該収納箱の上端部を前記扉の内面に係止させる係止手段を設けたので、収納物の収納・取り出しが容易になるとともに、係止手段により収納状態を安定的に保持できる。
【００１７】
また、請求項４に係る発明においては、請求項３に係るエンジン駆動作業機の収納箱において、収納箱の下端部に、該収納箱の下方への回転を制限するための回転止め手段を設けたので、収納箱が下方に回転しすぎて収納物が落下してしまうようなことがなくなる。
【図面の簡単な説明】
【００１８】
【図１】本発明の一実施例に係るエンジン駆動作業機の収納箱を示す図である。
【図２】ローラキャッチを示す図である。
【図３】図１の実施例における扉を示す図である。
【図４】図１の実施例における収納箱を示す図である。
【図５】図１の実施例における収納箱の支持部材への取付構造を示す図である。
【図６】図５におけるゴム部材とカラーを示す図である。
【図７】従来の収納箱を設けたエンジン駆動作業機を示す図である。
【発明を実施するための形態】
【００１９】
以下、本発明の実施例を図面に基づいて詳細に説明する。
【実施例１】
【００２０】
図１は、本発明の一実施例に係るエンジン駆動作業機の収納箱を示す図である。図１において、１は作業機の扉、２は当該作業機の取扱説明書Ｄ等を収納するための収納箱で、扉１の内面に取り付けられる。３は収納箱２が下方に回転しすぎないように、回転角度を制限するためのストッパ、４は収納箱２を支持し、回転の中心になるボルト、５はローラキャッチ取付部材、６は収納箱２の閉じた状態が保持されるように係止するためのローラキャッチである。扉１は、ヒンジ１ａ，１ａにより、作業機の防音ケースに開閉可能な状態で取り付けられる。
【００２１】
なお、ローラキャッチ６は、図２（Ｂ）に示すようなローラキャッチ本体６ａと、図２（Ａ）に示すような係止金具６ｃとからなる。ローラキャッチ本体６ａは、内部に二つの係合ローラ６ｂが対向して設けられ、バネによりそれらが互いに押し付けられるようになっている。そして、それら二つの係合ローラ６ｂの間に係止金具６ｃの先端が押し付けられると、二つの係合ローラ６ｂを押し開きながら係止金具６ｃが入っていき、係止金具６ｃの膨らんだ部分が係合ローラ６ｂの間を突き抜けると、ローラキャッチ本体６ａと係止金具６ｃが係合して、接合した状態が保持される。
【００２２】
扉１は、図３に示すように、内面の上部にローラキャッチ取付部材５を取り付け、ローラキャッチ取付部材５の下方には１対の支持部材７，７を設けている。ローラキャッチ取付部材５には、ローラキャッチ本体６ａを取り付けるためのローラキャッチ取付孔５ａ，５ａが設けられ、支持部材７，７は、収納箱２の幅よりやや広い間隔で取り付けられ、その中央部には、ボルト４を通すためのボルト孔７ａ，７ａが設けられている。
【００２３】
収納箱２は、図４に示すように、長方形の金属板の周囲４辺を内側に折り曲げて、取扱説明書Ｄが十分に収納できる深さの箱形に形成し、その下端部内側面には、ボルト４を通して締め付け固定するための孔と溶接ナット２ａ，２ａが設けられている。また、下側の縁部は、先端部を斜め内側に折り曲げて、収納箱２が開かれたとき、扉１の内面に当たって、それ以上収納箱２が回転しないようにするための当接面２ｂを形成している。
【００２４】
また、収納箱２を扉１に取り付けたとき、ローラキャッチ取付部材５のローラキャッチ取付孔５ａに対向する位置に、ローラキャッチ６の係止金具を取り付けるための係止金具取付孔２ｃ，２ｃを設ける。さらに、収納箱２の下端部中央外側には、下端部が上記当接面２ｂと同じ面になるように折り曲げられたストッパ３を取り付けていて、収納箱２が所定の角度まで開かれたとき、当接面２ｂとともに扉１の内面に当たって確実に回転止めができるようにしている。
【００２５】
また、上記ローラキャッチ取付部材５の横幅は、図１に示すように、収納箱２の内側にぎりぎり入り込むほどの長さにし、そのローラキャッチ取付部材５の、収納箱２内面に対向する面にはラバーシートを貼ることで、たとえ扉１を開けたときでも、収納箱２内の防水防塵性が確保できるようにする。
【００２６】
収納箱２の支持部材７への取付は、図５に示すように、収納箱２と支持部材７の間にゴム部材８を挟み、それらの孔に金属製のカラー９を通し、その中に、座金１０とバネ座金１１を挟んでボルト４を通して、収納箱２の溶接ナット２ａにねじ込んで締め付ける。
【００２７】
ゴム部材８は、図６（Ａ）に示すような、平たい円環状になっていて、収納箱２と支持部材７の間の間隔より少し厚くし、それをボルト４で締め付けることで、ゴム部材８の反
発力により収納箱２の回転に摩擦力を与えて、収納箱２を任意の角度位置で保持できるようにしている。また、金属製のカラー９は、図６（Ｂ）に示すように、筒状になっていて、収納箱２と支持部材７の間の間隔より長くして、ボルト４の締め付けが所定の位置で止まるようにしている。
【００２８】
そのようにして、扉１の内面に収納箱２を取り付けるに当たって、扉１の内面に貼り付けられている吸音材の内、収納箱２を取り付ける部分の吸音材を取り除いて取り付けるか、基から収納箱の部分を取り除いた吸音材を貼る。その結果、収納箱２は周囲の吸音材の中に埋まった状態になるため、収納箱２の厚さを吸音材の厚さの範囲内にすれば、収納箱２のためのスペースは必要がなくなる。また、収納箱２の部分は、２重壁構造になるため、防音上も問題にならない。
【００２９】
なお、上記実施例では、収納箱２の上端部を扉１の内面に係止させる係止手段として、ローラキャッチ６を用いたが、係止手段としてはそれに限定されず、マグネットを利用したもの等、他の適宜の手段を用いることができる。また、上記実施例では、収納箱２に取扱説明書を収納する場合を例にして示したが、サイズが嵩張らないものであれば、工具等の収納も可能である。
【符号の説明】
【００３０】
１  扉
１ａ  ヒンジ
２  収納箱
２ａ  溶接ナット
２ｂ  当接面
２ｃ  係止金具取付孔
３  ストッパ
４  ボルト
５  ローラキャッチ取付部材
５ａ  ローラキャッチ取付孔
６  ローラキャッチ
６ａ  ローラキャッチ本体
６ｂ  係合ローラ
６ｃ  係止金具
７  支持部材
８  ゴム部材
９  カラー
１０  座金
１１  バネ座金
【図１】
2018204535.tif 000003
【図２】
2018204535.tif 000004
【図３】
2018204535.tif 000005
【図４】
2018204535.tif 000006
【図５】
2018204535.tif 000007
【図６】
2018204535.tif 000008
【図７】
2018204535.tif 000009